(57)【要約】【課題】外槽開口を外槽扉で開閉するようにしたトップローディングタイプのドラム式洗濯機において、外槽の固定を確実に行うこと。【解決手段】上部固定部材６３１は、発泡樹脂材料からなり、その上部は洗濯物投入口３に嵌合されるべく、洗濯物投入口３の内周縁と同様の外形を有している。その下面には外槽１０の上面よりも張り出した外槽扉１０１の上部が嵌め込まれる第１凹状部７０が形成されている。第１凹状部７０の前部中央部には外槽扉１０１の上面から突出した操作部５２が嵌め込まれる第２凹状部７１が形成されている。上部固定部材６３１の上部が洗濯物投入口３に嵌合され、外槽扉１０１の上部および操作部５２が上部固定部材６３１の第１凹状部７０および第２凹状部７１に嵌合されることで、外槽１０の上部が外箱１に対して固定される。【選択図】    図６
2004188172.tif 000002
【特許請求の範囲】
【請求項１】
外箱内に揺動可能に配設した外槽の内部に、周面が略円筒形状のドラムを水平軸又は傾斜軸を中心に回転自在に配設するとともに、外箱の上面を構成する上面板と、該上面板に形成された洗濯物投入口を開閉する上蓋と、該洗濯物投入口の下方の外槽に形成された外槽開口を開閉する外槽扉と、前記ドラムの周面に形成されたドラム開口を開閉するドラム扉とを具備したドラム式洗濯機において、輸送時に前記外槽が揺動しないよう固定する方法であって、
前記洗濯物投入口の下方に位置する、前記外槽扉の上面を含む前記外槽の上面に凸状部及び／又は凹状部を設けるとともに、
前記洗濯物投入口内に上方より嵌め込まれ、その下面に前記凸状部が嵌め込まれる凹状部及び／又は前記凹状部に嵌め込まれる凸状部を有する固定部材を設け、
ドラム式洗濯機の輸送の際、前記固定部材を装着して、前記外槽側の前記凸状部を前記固定部材側の前記凹状部に嵌め込むことにより、及び／又は前記固定部材側の前記凸状部を前記外槽側の前記凹状部に嵌め込むことにより、前記外槽を前記外箱に対して固定するようにしたことを特徴とするドラム式洗濯機における外槽の固定方法。
【請求項２】
前記外槽扉を、閉鎖した状態でその上面が前記外槽の上面よりも上方に張り出すように構成し、この外槽扉の張り出し部分を前記外槽側の凸状部とした請求項１に記載のドラム式洗濯機における外槽の固定方法。
【請求項３】
前記外槽扉の上面から突出するように外槽扉の一部に設けられた操作部を前記外槽側の凸状部とした請求項１に記載のドラム式洗濯機における外槽の固定方法。
【請求項４】
前記固定部材には、前記外槽の上面と前記上面板の下面との間に差し込まれ、前記固定部材が上方へ押されたときに、固定部材の浮き上がりを防止する浮き止め部を設けた請求項１に記載のドラム式洗濯機における外槽の固定方法。
【請求項５】
請求項１に記載の前記固定部材を備えたドラム式洗濯機の梱包部材。
【発明の詳細な説明】
【０００１】
【発明の属する技術分野】
本発明は、ドラム式洗濯機における外槽の固定方法、及び外槽を固定するための固定部材を有するドラム式洗濯機の梱包部材に関する。
【０００２】
【従来の技術】
ドラム式洗濯機は、水平軸又は傾斜軸を中心に円筒籠状のドラムを外槽内部に回転自在に配置した構成を備えており、このドラム内に洗濯物を収容して水を貯留した外槽内で回転させることによって洗濯物の叩き洗いを行う。こうした一般的なドラム式洗濯機では、略直方体形状の外箱の前面に衣類を投入するための扉体が横開きに設けられており、その扉体を開くと外槽に設けた開口を通して、ドラムの一端面に設けられた衣類投入口が覗くように構成されている。
【０００３】
こうしたドラム式洗濯機に対する一般消費者の大きな不満の一つは、衣類の出し入れがしにくいことである。すなわち、上記構成を有する、いわゆるフロントローディングタイプのドラム式洗濯機では、衣類投入口が低い位置にあり、洗濯機を専用の置台上に載置した場合であっても、衣類投入のしにくさは完全には解消されない。このような不満に対応するため、従来、市販されているドラム式洗濯機では、傾斜軸を用いてドラムの衣類投入口をやや斜め上向きにしたものがある。また、衣類投入口をできるだけ大きくすることも試みられている。しかしながら、このような構成によっても、渦巻き式洗濯機の操作性に慣れた者にとってみれば、その使い勝手は必ずしも充分に良好であるとは言えない。
【０００４】
一方、上記のような使い勝手の悪さを解消する一つのものとして、従来の一般の渦巻き式洗濯機と同じように洗濯物投入口を外箱の前面ではなく上面に設け、それに対応してドラムの周面に開口を設ける、いわゆるトップローディングタイプのドラム式洗濯機がある。
【０００５】
ところで、ドラム式洗濯機は、製品を保護するため、製造後に梱包部材で包装されて出荷される。このとき、輸送時などに外槽が揺動しないよう、専用の固定部材を用いて外槽を固定する。
【０００６】
トップローディングタイプのドラム式洗濯機における外槽の固定方法としては、以下のような構成があった。即ち、図１０に示すように、このドラム式洗濯機においては、外箱１０１の上面には、洗濯物投入口１０２が設けられており、このこの外箱１０１内に揺動可能に設けられた外槽１０３には、洗濯物投入口１０２に対応して外槽開口１０４が設けられている。洗濯物投入口１０２には上蓋１０５が設けられており、一方、外槽開口１０４には扉が設けられておらず、蛇腹状のゴムパッキン１０６によって洗濯物投入口１０２と外槽開口１０４とが水密的に接続されている。外槽１０３内には水平軸を中心に回転可能なドラム１０７が設けられており、このドラム１０７の周面にはドラム扉１０８によって開閉されるドラム開口１０９が設けられている。緩衝固定具（固定部材）１１０は、断面山の字形の箱形状をなし、上縁に沿って張り出すフランジ１１０ａを有する。そして、前記洗濯物投入口１０２と外槽開口１０４とに上方から嵌合され、下端がドラム１０７に触れる寸前に、フランジ１１０ａが洗濯物投入口１０２の口縁に当接して、それ以上の下動が阻止される。また、緩衝固定具１１０の上端は上蓋１０５で押さえられる。緩衝固定具１１０は、洗濯物投入口１０２と外槽開口１０４の双方に嵌合しているので、この緩衝固定具１１０により、外槽１０３の横揺れが阻止される（例えば、特許文献１参照。）。
【０００７】
【特許文献１】
特開平４−１８７１８７号公報（第９頁、第２２図）
【０００８】
【発明が解決しようとする課題】
上記のドラム式洗濯機においては、洗濯物投入口と外槽開口とを接続するゴムパッキンが脱水時の振動などによって疲労し破れやすいという問題がある。このため、ゴムパッキンを用いるのではなく、外槽扉を設けて外槽開口を水密的に覆う構成とすることが考えられる。ところが、このような構成とした場合には、外槽開口が外槽扉で閉じられるがゆえに、上記のように外槽開口へ嵌合するような緩衝固定具を用いることができないという問題がある。
【０００９】
本発明は、このような課題を解消するものであり、外槽開口を外槽扉で開閉するようにしたトップローディングタイプのドラム式洗濯機であっても、外槽の固定を確実に行える固定方法及び梱包部材を提供することを目的としている。
【００１０】
【課題を解決するための手段、及び発明の効果】
上記課題を解決する本発明は、外箱内に揺動可能に配設した外槽の内部に、周面が略円筒形状のドラムを水平軸又は傾斜軸を中心に回転自在に配設するとともに、外箱の上面を構成する上面板と、該上面板に形成された洗濯物投入口を開閉する上蓋と、該洗濯物投入口の下方の外槽に形成された外槽開口を開閉する外槽扉と、前記ドラムの周面に形成されたドラム開口を開閉するドラム扉とを具備したドラム式洗濯機において、輸送時に前記外槽が揺動しないよう固定する方法であって、前記洗濯物投入口の下方に位置する、前記外槽扉の上面を含む前記外槽の上面に凸状部及び／又は凹状部を設けるとともに、前記洗濯物投入口内に上方より嵌め込まれ、その下面に前記凸状部が嵌め込まれる凹状部及び／又は前記凹状部に嵌め込まれる凸状部を有する固定部材を設け、ドラム式洗濯機の輸送の際、前記固定部材を装着して、前記外槽側の前記凸状部を前記固定部材側の前記凹状部に嵌め込むことにより、及び／又は前記固定部材側の前記凸状部を前記外槽側の前記凹状部に嵌め込むことにより、前記外槽を前記外箱に対して固定するようにした固定方法、及びこの固定方法に用いる固定部材を備えた梱包部材である。
【００１１】
この方法
（構成）では、外槽扉の上面を含む外槽の上面に設けた凸状部（凹状部）を利用して外槽を外箱内に固定するようにしたので、外槽開口を外槽扉で覆う構成であっても、外槽の固定を確実に行うことができる。
【００１２】
上記方法においては、外槽扉を、閉鎖した状態でその上面が外槽の上面よりも上方に張り出すように構成し、この外槽扉の張り出し部分を前記外槽側の凸状部とすることが好ましい。このようにすれば、張出面積の大きな凸状部が得られ、この凸状部の凹状部への嵌合によってしっかりと外槽を固定することができる。
【００１３】
また、ラッチ動作／解除を行うラッチ機構を内蔵するスペースが必要なために外槽扉の他の上面よりも突出する操作部を、外槽側の凸状部として流用することが好ましい。このようにすれば、専用の凸状部を減らす（なくする）ことができる。あるいは、他の凸状部との併用により、より強固に外槽を固定することができる。
【００１４】
さらに、固定部材には、外槽の上面と上面板の下面との間に差し込まれ、固定部材が上方へ押されたときに、固定部材の浮き上がりを防止する浮き止め部を設けることが好ましい。このようにすれば、輸送時などにドラム式洗濯機が上下に揺れても、固定部材を外れにくくすることができる。
【００１５】
【発明の実施の形態】
以下、本発明の一実施例を、図面を参照して説明する。
【００１６】
図１は本実施例におけるドラム式洗濯機の外観斜視図、図２はドラム式洗濯機内部の要部の正面縦断面図、図３は同じく内部の要部の右側面縦断面図である。
【００１７】
図１に示すように、このドラム式洗濯機において、外箱１は、上面と前面との間の角部がやや丸みをもちつつ前下がりに傾斜しており、この傾斜部からその後方にかけて大きな洗濯物投入口３が開口し、この洗濯物投入口３を開閉するために、該洗濯物投入口３の後方に二つ折り状態で起立可能な上蓋２が設けられている。なお、外箱１上部は、傾斜部と洗濯物投入口３とを有する上面板１ａで構成されている。上面板１ａにおいて、上蓋２の左側には前方に引き出し自在の洗剤容器４が、右側には前後方向に延伸して操作パネル５が設けられている。この操作パネル５はそのほぼ全体が斜め上方を指向しているため、ユーザが本洗濯機の前方に立った姿勢で斜め下方を見下ろしたとき、操作パネル５面はその視線に対して垂直に近い状態となり、表示が見易く且つ操作キーも押し易いという配慮がなされている。
【００１８】
次に、図２および図３により内部構成について概略的に述べる。外箱１の内部にあっては、周面が略円筒形状で両端面がほぼ閉塞された外槽１０が、外箱１の左右側面にそれぞれ端面が対向する状態で、左右両側上方から吊支する二本のばね１１と、前後方向に外槽１０の下部を支持する三本のダンパ１２とにより適度に揺動自在に保持されている。この外槽１０の内部には、洗濯物を内部に収容するための内槽として、多数の通水穴１３ａが穿孔された略円筒形状の周面とほぼ閉塞された両端面とを有する横型のドラム１３が、左右方向に延伸する水平軸線Ｃを中心に回転自在に設けられている。このドラム１３の内周面には、回転に伴って洗濯物を掻き上げるためのバッフル１３ｂが、水平軸線Ｃの周りに略１２０°の角度間隔で設けられている。
【００１９】
ドラム１３の左端面中央に固着された主軸１４は、外槽１０の左端面に固定されている第１軸受ケース１６に保持された軸受１７により支承されている。他方、ドラム１３の右端面中央に固着された補助軸１５は、外槽１０の右端面に固定されている第２軸受ケース１８に保持された軸受１９により支承されている。この主軸１４及び補助軸１５により上記水平軸線Ｃが形成される。外槽１０の左端面から側方へと突出した主軸１４の先端には、アウタロータ型のモータ２０のロータ２０ｂが固定され、一方、モータ台を兼ねる第１軸受ケース１６にはモータ２０のステータ２０ａが固定されている。図示しない制御回路からステータ２０ａに駆動電流が供給されるとそれによってロータ２０ｂが回転し、主軸１４を介してロータ２０ｂと同一の回転速度でドラム１３が回転駆動される。
【００２０】
外槽１０の周面の上部から斜め前方にかけて、外箱１の洗濯物投入口３と一致する位置に、洗濯物を出し入れするための外槽開口１００が設けられ、外槽開口１００は左右水平方向に延伸する軸を中心に回動自在に設けられた外槽扉１０１により開閉自在となっている。また、ドラム１３の周面（胴部）にも洗濯物を出し入れするためのドラム開口１３０が設けられ、ドラム開口１３０は、前後方向に観音開き構造を有する二枚の扉体１３１ａ，１３１ｂから成るドラム扉１３１により開閉自在となっている。但し、ドラム１３は回転可能であるため、ドラム開口１３０が外槽開口１００と径方向に一致した位置でドラム１３が停止状態を維持するように、ステータ２０ａの下方にはドラムロック装置２１が設けられており、ドラム１３停止時にはドラムロック装置２１から突出するピンとロータ２０ｂに形成されている係合凹部とが噛み合い、ドラム１３の停止位置が決まるように構成されている。
【００２１】
外槽１０の右側底部には排水口２２が設けられ、排水口２２はトルクモータの動作により開閉する排水バルブ２３を介し、図示しない排水ホースを通して外部の排水溝へと接続されている。また、外槽１０の最底部には一段窪んだ凹陥部１０ａが形成されており、そこにはほぼ水平に延在する水加熱ヒータ２４が配設されており、外槽１０内に貯留された水を適度な温度に加熱することができるようになっている。
【００２２】
その凹陥部１０ａよりも前方側の外槽１０底部には、外槽１０内に貯留された水を電気分解するために複数枚の板状の電解用電極２５ａを電解室２５ｂ内部に備えた電解水生成部２５が、外槽１０に対して着脱可能に配設されている。電解水生成部２５の電解室２５ｂと外槽１０とは、上下にそれぞれ略水平に延びる二本の連通管２５ｃ，２５ｄで連結されている。電解用電極２５ａは耐腐食性を有するべくチタンの表面に白金をコーティングしたものであり、この電解用電極２５ａが水中に没する状態で電解用電極２５ａ間に所定電圧を印加すると、後述するように次亜塩素酸などの含塩素物質と活性酸素種とを含む電解水が生成され、これによって洗い性能を高めることができるとともに除菌作用を発揮することができる。
【００２３】
外槽１０の凹陥部１０ａ後方側には、外槽１０の左右方向の略中央付近に設けられた開口１０ｂから右端面側に延伸する筒状の管路１０ｃが外槽１０と一体に形成されており、該管路１０ｃは乾燥運転の際に外槽１０内に加熱空気を循環的に供給するための乾燥循環風路の一部となっている。図示しないが、乾燥循環風路の他の主要部分は外槽１０の右端面及び第２軸受ケース１８の外側及び後方に配設され、乾燥循環風路内には、外槽１０内から上記開口１０ｂを介して取り出された湿った空気を除湿するための除湿器、除湿された空気を加熱するための乾燥用ヒータ、外槽→除湿器→ヒータ→外槽という循環的な空気流を発生させる送風ファンなどが設けられている。
【００２４】
外槽扉１０１は、図４に示すように、上部材１０１ａと下部材１０１ｂの二部材からなり、内部が中空に形成されている。外槽扉１０１は、閉鎖状態において、その上面が外槽１０の上面よりも上方に張り出している。外槽扉１０１の前部中央部には、外槽扉１０１の開閉操作を行うための操作部５２が設けられている。この操作部５２は、外槽扉１０１の内部前方に設けられ、その手前側の外槽１０の縁部に係合することとで外槽扉１０１を閉鎖状態に保つためのラッチ機構５３と、外槽扉１０１の上面前方に設けられ、ラッチ機構５３によるラッチ状態を解除するために操作される操作レバー５４とで構成される。この操作部５２の上面は、ラッチ機構５３の内蔵するための上下スペースが必要である分、外槽扉１０１の他の上面よりも上方へ突出している。
【００２５】
さて、本実施例のドラム式洗濯機においては、輸送などの際に製品を保護すべく、製造後に梱包部材６０で包装されて出荷される。この梱包部材６０は、図５に示すように、製品（ドラム式洗濯機）を包むダンボール製の梱包箱６１と、製品と梱包箱６１との間に介在し、梱包箱６１への衝撃が製品へ伝わるのを和らげる緩衝部材６２と、輸送の際に、外箱１に対して外槽１０が揺動しないよう固定する固定部材６３とで構成される。
【００２６】
梱包箱６１は、下方が開口する底の浅い箱形をなし製品の上部を覆う上面部材６１１と、上方が開口する底の浅い箱形をなし製品の底部を覆う底面部材６１２と、上下が開口する方形筒状をなし製品の胴部を覆う胴部材６１３とで構成される。胴部材６１３の上端および下端は、それぞれ上面部材６１１および底面部材６１２の外側まで延び、これらを覆っている。
【００２７】
緩衝部材６２は、発泡樹脂材料からなり、製品上部と上面部材６１２との間に挿入される上部緩衝部材６２１と、製品底部と底面部材６１１との間に挿入される下部緩衝部材６２２とで構成される。なお、上部緩衝部材６２１と下部緩衝部材６２２との間には、筒状したダンボール製の補強部材６４が設けられており、製品を段積みしたときに梱包部材６０がつぶれないよう補強されている。
【００２８】
固定部材６３は、外槽１０の上部を固定するための上部固定部材６３１と、外槽１０の下部を固定するための下部固定部材６３２とで構成される。下部固定部材６３２は、下部緩衝部材６２２の略中央部に一体形成されている。
【００２９】
本発明のドラム式洗濯機は、上部固定部材６３１の構成に特徴を有しており、以下、この上部固定部材６３１（本発明の固定部材に相当する）について、図６から図９に基づいて詳述する。
【００３０】
上部固定部材６３１は、発泡樹脂材料からなり、その上部は洗濯物投入口３に嵌合されるべく、洗濯物投入口３の内周縁と同様の外形を有している。また、その上面は上面板１ａの上面形状に合わせて後部の平坦部と前部の傾斜部とを有しており、洗濯物投入口３内に嵌め込まれた状態において、上面が洗濯物投入口３よりも上方に出ないようになされている。これにより、この上部固定部材６３１を装着した状態で、上蓋２が閉鎖できるようにされている。
【００３１】
上部固定部材６３１の下面には、外槽１０の上面よりも張り出した外槽扉１０１の上部（本発明の凸状部に相当）が嵌め込まれる第１凹状部７０が形成されている。この第１凹状部７０は、上部固定部材６３１の下面の周囲にわずかな枠部分を残して下面全体的に設けられている。この第１凹状部７０の前部中央部には、第１凹状部７０よりもさらに上方に凹み、外槽扉１０１の上面より突出した操作部５２（本発明の凸状部に相当）が嵌め込まれる第２凹状部７１が形成されている。これら第１凹状部７０および第２凹状部７１が本発明の凹状部に相当する。
【００３２】
第２凹状部７１の後部には、上部固定部材６３１の上面まで貫通し、作業者の手が入るだけの大きさを有する開口部７２が空けられている。この開口部７２は、上部固定部材６３１を着脱するときに作業者（使用者）が持つ取っ手となる。さらに、上部固定部材６３１には、後面から水平方向に伸びて上面板１ａの下面と外槽１０の上面との間に差し込まれる横長の浮き止め部７３が一体形成されている。また、上部固定部材６３１の上面の傾斜部には、上部固定部材６３１の前部をテープで上面板１ａに固定するときに用いる縦長の凹部７４が左右２箇所に形成されている。
【００３３】
こうして、梱包作業において上部固定部材６３１を装着する場合には、作業者は、開口部７２に手を入れてその前縁部をつかみ、上部固定部材６３１の後部が下がるように傾け、浮き止め部７３を洗濯物投入口３から上面板１ａと外槽１０との間に差し込む。そして、前部をそのまま下方向に回転させて洗濯物投入口３内へ嵌め込む。これにより、第１凹状部７０に外槽扉１０１の張出し部分が嵌め込まめれ、さらに第２凹状部７１に操作部５２が嵌め込まれる。その後、凹部７４と上面板１ａの前部との間にテープ７５を貼り付ける。
【００３４】
このようにして、上部固定部材６３１の上部が洗濯物投入口３に嵌合され、且つ外槽扉１０１の上部および操作部５２がそれぞれ上部固定部材６３１の第１凹状部７０および第２凹状部７１に嵌合されることで、外槽１０の上部が外箱１に対して固定される。さらに、下部固定部材６３２を装着することにより、外槽１０の下部が固定される。
【００３５】
以上、本発明実施例の外槽の固定方法によれば、外槽１０側に設けた凸状部（外槽扉や操作部）を利用して外槽１０を外箱１内に固定するようにしたので、外槽扉１０１によって外槽開口１００を閉鎖するトップローディングタイプのドラム式洗濯機であっても、外槽１０を確実に固定することができ、製品の輸送時などに外槽１０が揺動するのを防止することができる。
【００３６】
特に、外槽扉１０１における外槽１０の上面よりも張り出した部分を凸状部としているので、張出面積の大きな凸状部を得ることができ、外槽１０をしっかりと固定することができる。また、ラッチ機構５３を内蔵するがゆえに外槽扉１０１の他の上面よりも突出する操作部５２を凸状部として流用するようにしたので、外槽扉１０１と合わせてより高い凸状部を構成でき、さらに強固に外槽１０を固定することができる。
【００３７】
また、輸送の際に上方へも衝撃が加わることがあるが、この衝撃によって上部固定部材６３１が上方に押されても、浮き止め部７３によって、上部固定部材６３１の浮き上がりを防止することができる。よって、ドラム式洗濯機が上下に揺れても、上部固定部材６３１を外れにくくすることができる。さらに、凹部７４でのテープ固定によって、上部固定部材６３１の浮き上がりを一層防止できる。
【００３８】
以上、本発明の外槽の固定方法、および梱包部材の一実施例について説明したが、本発明は、上記の実施例に限定されるものではなく、本発明の趣旨の範囲内で適宜変更や修正を行える。例えば、外槽側に凹状部を形成し、固定部材側にこの凹状部に嵌め込まれる凸状部を形成するようにしてもよい。また、ドラムは傾斜軸を中心に回転するものでもよい。
【００３９】
次に図１１は、この発明の他の実施形態にかかる梱包部材をドラム式洗濯機に装着した状態を示す要部の側面断面図である。
この実施例が図６に示す梱包部材と異なる点は、上部固定部材６３１に加えて、上部固定部材と外槽扉１０１を連結するための連結部材６４０が備えられていることである。
【００４０】
詳しくは、上部固定部材６３１と外槽扉１０１の間に連結部材６４０が設けられる。この連結部材６４０は、ダンボール製の前後に長い長方形状の板状部材で形成されており、後端側に位置し、外槽扉の上面に固定される後ろ部６４０ａと、この後ろ部から上方に向けて折り曲げられて、上部固定部材の開口部７２に挿入される中央部６４０ｂと、この中央部から後方に向けて折り返されて上部固定部材６３１の上面に固定される前部６４０ｃとからなっている。
【００４１】
この例の、上記連結部材６４０以外の部分の構成は、先の図６の例と同じであるので、同一の箇所の同一の部材に同一の符号を付して、説明を省略する。
【００４２】
梱包作業において、連結部材６４０、上部固定部材６３１を装着する場合には、
作業者は、まず連結部材６４０の後ろ部６４０ｂを外槽扉１０１上面の左右方向のほぼ中央部にテープで貼り付ける。そして、前部６４０ｃ及び中央部６４０ｄを上部固定部材６３１の開口部７２を通じて上方へ通した後、上部固定部材６３１を洗濯物投入口３内へ嵌め込み、開口部７２を通り抜けた連結部材の前部を後方へ向けて折り返し、前部を上部固定部材６３１の上面にテープで固定する。これにより、上部固定部材６３１と外槽扉１０１が連結部材６４０を介して固定されるようなる。
【００４３】
輸送時などに上下に大きな衝撃が加わり、その衝撃で外槽が沈み込む虞があるが、この場合、上部固定部材６３１と外槽扉１０１が連結部材６４０で固定されているので、外槽扉１０１の上部および操作部５２と上部固定部材６３１の第１凹状部７０および第２凹状部７１の嵌合が外れる不具合を防止することができる。従って、外槽１０をより確実に固定することができ、輸送時などに外槽１０が揺動するのを確実に防止することができる。
【００４４】
次に、図１２〜図１４には、この発明のさらに他の実施形態にかかる梱包部材をドラム式洗濯機に装着した状態を示す要部の側面断面図である。
【００４５】
図１２は他の実施形態におけるドラム式洗濯機内部の要部の正面縦断面図、図１３は底面部材の要部の断面図、図１４は底面部材の上面図である。
図において、６１２はダンボール等からなる底面部材で、この底面部材６１２の四隅には発泡スチロール製の下部緩衝部材６２２が設けられており、下部緩衝部材６２２によりこの底面部材６１２に設置される洗濯機を緩衝的に支持する。
【００４６】
６２２ａはドラム式洗濯機の脚部を収容するために下部緩衝部材６２２の上面中央部に設けられた脚挿入穴、６２２ｂは下部緩衝部材６２２をそれぞれつなぐ連結部である。
【００４７】
６３２は底面部材６１２の四隅に位置する前記下部緩衝部材６２２のほぼ中央に配置された下部固定部材で、中央に窪み部６３２ａがもうけてあり、外槽１０の下部に配置された図示しない凸部をこの窪み部６３２ａ内にて支持することで、外槽１０の揺動を窪み部の周縁で阻止するとともに、上方からの荷重を受けてその力を分散させ緩衝効果を有するようにしている。
【００４８】
６４１は連結部の１つに固定された緩衝補強部材である。この緩衝補強部材６４１は帯状のダンボールを折り曲げ、上下方向に開口を有する筒状に形成されており、一端を延ばして連結部に固定するための固定部６４２としている。
緩衝補強部材６４１の上端には切り欠き６４１ａが設けられていて、外槽１０の下端左隅１０ａをこの切り欠き６４１ａ内に当接させて緩衝的に支持するように設けられている。
【００４９】
ここで、緩衝補強部材６４１は、図１２に示すように、切り欠き６４１ａを外槽１０の下端左隅１０ａに対して、左側及び下方から当接するようにして配置されている。
これによって、輸送時に外槽１０が揺動しても外槽１０の斜め下方向の動きは、緩衝補強部材６４１によって規制される。従って、輸送時の衝撃で外槽１０が大きく揺動しても、ダンボールの剛性を有効に活用した緩衝補強部材６４１によって、外槽下部を効果的に支持できるので、外槽１０や主軸１４等が外箱１に接触することをより一層防止できるようになる。
【図面の簡単な説明】
【図１】本発明の一実施例によるドラム式洗濯機の外観斜視図。
【図２】本実施例におけるドラム式洗濯機の内部の要部の正面縦断面図。
【図３】本実施例におけるドラム式洗濯機の内部の要部の右側面縦断面図。
【図４】本実施例におけるドラム式洗濯機の外槽扉周辺の構成を示す要部の縦断面図。
【図５】ドラム式洗濯機を梱包部材で梱包した状態を示す側面縦断面図。
【図６】上部固定部材をドラム式洗濯機に装着した状態を示す要部の側面断面図。
【図７】同じく、要部の正面断面図。
【図８】上部固定部材の構成を示す上部固定部材の上面図。
【図９】同じく、上部固定部材の下面図。
【図１０】従来のドラム式洗濯機における外槽の固定方法を示す要部の正面断面図。
【図１１】他の実施形態にかかる梱包部材をドラム式洗濯機に装着した状態を示す要部の側面断面図。
【図１２】他の実施形態におけるドラム式洗濯機内部の要部の正面縦断面図。
【図１３】底面部材の要部の断面図。
【図１４】底面部材の上面図。
【符号の説明】
１    外箱
１ａ  上面板
２    上蓋
３    洗濯物投入口
１０  外槽
１００  外槽開口
１０１  外槽扉（凸状部）
１３  ドラム
１３０  ドラム開口
１３１  ドラム扉
５２  操作部（凸状部）
６０  梱包部材
６３１  上部固定部材（固定部材）
７０  第１凹状部（凹状部）
７１  第２凹状部（凹状部）
７３  浮き止め部
【図１】
2004188172.tif 000003
【図２】
2004188172.tif 000004
【図３】
2004188172.tif 000005
【図４】
2004188172.tif 000006
【図５】
2004188172.tif 000007
【図６】
2004188172.tif 000008
【図７】
2004188172.tif 000009
【図８】
2004188172.tif 000010
【図９】
2004188172.tif 000011
【図１０】
2004188172.tif 000012
【図１１】
2004188172.tif 000013
【図１２】
2004188172.tif 000014
【図１３】
2004188172.tif 000015
【図１４】
2004188172.tif 000016